(57)【特許請求の範囲】
【請求項１】
同一形状の第１刺激視標及び第２刺激視標を表示する表示手段と、
前記第１刺激視標を被験者の一方の眼のみから視認可能に表示させ、前記第２刺激視標を被験者の他方の眼のみから視認可能に表示させ、前記第１刺激視標及び前記第２刺激視標の表示を制御する表示制御手段と、
被験者に装着され、前記第１刺激視標を被験者の一方の眼により視認させ、前記第２刺激視標を被験者の他方の眼により視認させる両眼分離手段と、
前記第１刺激視標と前記第２刺激視標とが重複して単一形状となったと認識したときに操作される操作手段と、
前記操作手段により操作されたときの前記第１刺激視標と前記第２刺激視標とのずれ量に基づいて視差を算出する視差算出手段とを備え、
前記第１刺激視標及び前記第２刺激視標は、所定のキャラクターであり、
前記表示制御手段は、前記第１刺激視標と前記第２刺激視標とを異なる位置に表示させた後に、前記第１刺激視標と前記第２刺激視標とを所定時間毎に交互に表示させながら、前記第１刺激視標の位置と前記第２刺激視標の位置とを近づけること
を特徴とする眼位検査装置。
【発明の詳細な説明】
【技術分野】
【０００１】
本発明は、被験者の眼位を検査する眼位検査装置に関する。
【背景技術】
【０００２】
従来より、被験者の眼位を検査する眼位検査装置としては、下記の特許文献１及び非特許文献１に記載されたものが知られている。
【０００３】
特許文献１に記載された眼位検査装置は、左右それぞれの眼に個別の視標を提示するための左右眼用の鏡体を有する。そして、被験者は鏡体を覗き込み、それぞれの視標が重なって見えるように視標を動かし、視標を動かした後の視標の位置ずれを眼位ずれ量として取得する。
【０００４】
非特許文献１には、簡易的に定量的に眼位ズレを検査する検査法として、両眼で目標を注視させておき、固視眼の前には覆い、眼位がずれている偏位眼の前にプリズムを、同時に置いたときの偏位眼の動きを観察する。そして、偏位眼の動きが見られなくなった時のプリズム度をもって、眼位ずれ量とする。
【先行技術文献】
【特許文献】
【０００５】
【特許文献１】特願平１１−１９７１０８号公報
【非特許文献】
【０００６】
【非特許文献１】眼科検査法ハンドブック第２版  編集：丸尾敏夫、松井瑞夫、小口芳久、湖崎克  医学書院、pp.186
【発明の概要】
【発明が解決しようとする課題】
【０００７】
しかしながら、特許文献１の眼位検査装置では、被験者が鏡体を覗き込んで操作する構造となっている。これにより、被験者が装置を覗きこむ必要や、装置を操作する必要があるため、装置を覗きこむことを怖がってしまったり、装置を操作することのできない小児に検査をすることが困難である。
【０００８】
また、非特許文献１の眼位検査装置では、測定者は被験者の両眼に覆いとプリズムを置きつつ、被験者の目の動きを観察する必要があるので、眼位検査の実施には特殊な技術が必要となり、更に、測定者の技量が検査時間に影響してしまう。
【０００９】
そこで、本発明は、上述した実情に鑑みて提案されたものであり、小児等に不安を感じさせずに、正確に眼位を検査することができる眼位検査装置を提供することを目的とする。
【課題を解決するための手段】
【００１０】
上記の課題を解決する第１の発明に係る眼位検査装置は、同一形状の第１刺激視標及び第２刺激視標を表示する表示手段と、前記第１刺激視標を被験者の一方の眼のみから視認可能に表示させ、前記第２刺激視標を被験者の他方の眼のみから視認可能に表示させ、前記第１刺激視標及び前記第２刺激視標の表示を制御する表示制御手段と、被験者に装着され、前記第１刺激視標を被験者の一方の眼により視認させ、前記第２刺激視標を被験者の他方の眼により視認させる両眼分離手段と、前記第１刺激視標と前記第２刺激視標とが重複して単一形状となったと認識したときに操作される操作手段と、前記操作手段により操作されたときの前記第１刺激視標と前記第２刺激視標とのずれ量に基づいて視差を算出する視差算出手段とを備え、前記第１刺激視標及び前記第２刺激視標は、所定のキャラクターであり、前記表示制御手段は、前記第１刺激視標と前記第２刺激視標とを異なる位置に表示させた後に、前記第１刺激視標と前記第２刺激視標とを所定時間毎に交互に表示させながら、前記第１刺激視標の位置と前記第２刺激視標の位置とを近づけることを特徴とするものである。
【発明の効果】
【００１２】
本発明によれば、第１刺激視標と第２刺激視標とを所定時間毎に交互に表示させながら、前記第１刺激視標の位置と第２刺激視標の位置とを近づけることによって、第１刺激視標及び第２刺激視標の移動に応じた被験者の視線を監視でき、小児等に不安を感じさせずに、正確に眼位を検査することができる。
【図面の簡単な説明】
【００１３】
【図１】本発明の実施形態として示す眼位検査装置の構成を示す図である。
【図２】（ａ）は眼位検査時の初期における表示画面、（ｂ）は第１刺激視標及び第２刺激視標を交互に消去する動作を説明する表示画面、（ｃ）は第１刺激視標と第２刺激視標とのずれを眼位ずれ量とすることを説明する表示画面、である。
【図３】眼位ずれ量に相当する立体視ディスプレイのピクセル数、ピクセル寸法、立体視ディスプレイと被験者との距離、視差の関係を示す図である。
【発明を実施するための形態】
【００１４】
以下、本発明の実施の形態について図面を参照して説明する。
【００１５】
本発明を適用した眼位検査装置は、被験者の眼位を検査するものである。特に、この眼位検査装置は、被験者が特定の物体を注視したときの眼位を検査するものである。
【００１６】
本発明を適用した眼位検査装置は、例えば図１に示すように構成される。この眼位検査装置は、表示手段としての立体視ディスプレイ１と、表示制御手段としての制御装置２と、両眼分離手段としての立体視メガネ３と、操作手段としての操作部４と、視差算出手段としての視差算出部５とを含む。なお、制御装置２及び視差算出部５は、パーソナルコンピュータとして一体で構成されていても良い。
【００１７】
立体視ディスプレイ１は、第１刺激視標及び第２刺激視標を表示する。立体視ディスプレイ１は、制御装置２と接続されている。立体視ディスプレイ１は、制御装置２から供給された映像データに従って駆動することによって、第１刺激視標及び第２刺激視標を表示する。
【００１８】
この第１刺激視標及び第２刺激視標は、同一形状、同一寸法となっている。これにより、第１刺激視標と第２刺激視標とは、相互が重複する位置に表示されたときに重なると、一つの視標に見えるようになる。
【００１９】
第１刺激視標及び第２刺激視標は、所定のキャラクターであることが望ましい。この所定のキャラクターとは、後述の電車、動物、アニメのキャラクター等の小児や幼児等が興味を示すような絵柄である。これにより、特に、小児や幼児など、自ら検査に回答できない被験者であっても、当該被験者の視線を第１刺激視標及び第２刺激視標に集中させて、正確に眼位を検査できる。
【００２０】
なお、図１に示す例では、立体視ディスプレイ１を使用しているが、プロジェクタ及びスクリーンで実現しても良い。また、レンチキュラー方式のディスプレイを使用してもよい。
【００２１】
制御装置２は、第１刺激視標を被験者の一方の眼のみから視認可能に表示させ、第２刺激視標を被験者の他方の眼のみから視認可能に表示させる。制御装置２は、所定の立体表示方式に従って、被験者が立体視メガネ３を介して第１刺激視標及び第２刺激視標を視認できるよう表示を制御する。
【００２２】
また、制御装置２は、後述の図２のように、第１刺激視標及び第２刺激視標の表示を制御する。
【００２３】
立体視メガネ３は、被験者に装着され、第１刺激視標を被験者の一方の眼により視認させ、第２刺激視標を被験者の他方の眼により視認させる。
【００２４】
両眼分離表示方式として時分割方式を採用した場合、立体視メガネ３の左眼部分及び右眼部分を液晶シャッタとする。制御装置２は、第１刺激視標、第２刺激視標の表示タイミングと、立体視メガネ３の右眼部分及び左眼部分の液晶シャッタの動作とを同期させる。制御装置２は、被験者の左眼に第１刺激視標を見せるときには、立体視ディスプレイ１に第１刺激視標を表示すると共に、当該左眼用液晶シャッタを開にすると共に右眼用液晶シャッタを閉にする。また、制御装置２は、被験者の右眼に第２刺激視標を見せるときには、立体視ディスプレイ１に第２刺激視標を表示すると共に、当該右眼用液晶シャッタを開にすると共に左眼用液晶シャッタを閉にする。
【００２５】
また、立体表示方式として偏光方式を採用した場合、立体視メガネ３の左眼部分を左眼用偏光フィルムとし、立体視メガネ３の右眼部分を右眼用偏光フィルムとする。そして、制御装置２は、被験者の左眼に第１刺激視標を見せるときには、当該左眼用偏光フィルムと同じ偏光方向で第１刺激視標を表示させる。また、制御装置２は、被験者の右眼に第２刺激視標を見せるときには、当該右眼用偏光フィルムと同じ偏光方向で第２刺激視標を表示させる。
【００２６】
操作部４は、測定者又は被験者に操作されるボタン、マウス等からなる。操作部４は、第１刺激視標と第２刺激視標とが重複して単一形状となったと認識したときに操作される。
【００２７】
視差算出部５は、操作部４により操作されたときの第１刺激視標と第２刺激視標とのずれ量に基づいて視差を算出する。このとき、視差算出部５は、図３に示すように、第１刺激視標及び第２刺激視標のずれ量に相当する立体視ディスプレイ１のピクセル数Ｐ、ピクセル寸法ｄ、立体視ディスプレイ１と被験者との距離Ｄに基づいて、ｔａｎ（θ／２）＝（Ｐ／２）×ｄ／Ｄなる演算を行う。これによって、視差算出部５は、眼位ずれ量に相当する被験者の視差θを求めることができる。
【００２８】
このような眼位検査装置において、制御装置２は、図２に示すように、第１刺激視標、第２刺激視標を表示させる。
【００２９】
先ず、図２（ａ）に示すように、立体視ディスプレイ１の表示範囲１００内に、第１刺激視標１０１及び第２刺激視標１０２を表示させる。このとき、眼位検査装置は、第１刺激視標１０１を被験者の左眼のみに視認可能とし、第２刺激視標１０２を被験者の右眼のみに視認可能とする。
【００３０】
図２（ａ）のように、第１刺激視標１０１及び第２刺激視標１０２は、例えば、表示範囲１００内における異なる２つの横位置に同じ高さ位置で表示され、表示範囲１００の中央に向けて移動されることが望ましい。
【００３１】
なお、第１刺激視標１０１及び第２刺激視標１０２は、所定のキャラクターとして、小児や幼児に集中して眼位検査を受けるように、リンゴを用いている。また、この第１刺激視標１０１と第２刺激視標１０２のキャラクターは、電車などの乗り物や、熊のような動物といったように複数個用意しておくことが望ましい。これにより、小児や幼児の被験者が興味を示すものを選択でき、正確な眼位検査ができる。更に、第１刺激視標１０１と第２刺激視標１０２の大きさを変更して、視線移動を分かり易くしても良い。
【００３２】
次に、図２（ｂ）のように、左眼用視標としての第１刺激視標１０１のみを表示した表示画面１００Ａと、右眼用視標としての第２刺激視標１０２のみを表示した表示画面１００Ｂとを、所定時間毎に交互に表示させながら、当該第１刺激視標の位置と第２刺激視標の位置とを近づける。換言すれば、第１刺激視標１０１及び第２刺激視標１０２を表示範囲１００内の中央に向けて移動させながら、第１刺激視標１０１と第２刺激視標１０２とを交互に表示範囲１００から消す。
【００３３】
これにより、被験者の視線を、第１刺激視標１０１又は第２刺激視標１０２の見えている視標に向けさせることができ、測定者によって眼球の動きを観察できる。第１刺激視標１０１及び第２刺激視標１０２が次第に中央に向けて移動すると、次第に、被験者の眼球位置が内側に移動することとなる。
【００３４】
なお、第１刺激視標１０１及び第２刺激視標１０２の移動は、測定者の手動であっても良く、制御装置２による自動であっても良い。また、制御装置２によって自動に第１刺激視標１０１及び第２刺激視標１０２を移動させる場合、移動速度を調節可能とすることが望ましい。
【００３５】
その後、測定者又は被験者は、第１刺激視標１０１と第２刺激視標１０２とが重複して単一形状となったと認識したときに操作部４を操作する。測定者が操作部４を操作する時とは、第１刺激視標１０１及び第２刺激視標１０２を中央に移動させ、被験者の視線が動かなくなったときに、操作部４を操作する。
【００３６】
操作部４が操作されると、制御装置２は、第１刺激視標１０１及び第２刺激視標１０２の移動を停止する。視差算出部５は、停止された第１刺激視標１０１と第２刺激視標１０２とのずれを、眼位ずれ量のピクセル数Ｐ［個］として記憶する。次に、視差算出部５は、眼位ずれ量としてのピクセル数を、視差［度］に変換する。このとき、視差算出部５は、立体視ディスプレイ１と被験者との距離Ｄ［ミリメートル］、眼位ずれ量のピクセル数Ｐ［個］、各ピクセルの寸法ｄ［ミリメートル］に基づいて、ｔａｎ（θ／２）＝（Ｐ／２）×ｄ／Ｄなる演算を行う。これによって、視差算出部５は、実際の視差θ［度］を計算できる。なお、θを求めることによって、眼位ずれ量に相当する視角［度］も求めることができる。
【００３７】
以上説明したように、この眼位検査装置によれば、第１刺激視標１０１と第２刺激視標１０２とを所定時間毎に交互に表示させながら、当該第１刺激視標１０１の位置と第２刺激視標１０２の位置とを近づける。これによって、眼位検査装置によれば、第１刺激視標１０１及び第２刺激視標１０２の移動に応じた被験者の視線を監視でき、小児等に不安を感じさせずに、正確に眼位を検査することができる。
【００３８】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【符号の説明】
【００３９】
１  立体視ディスプレイ
２  制御装置
３  立体視メガネ
４  操作部
５  視差算出部
【図１】
0005630220.tif 000002
【図２】
0005630220.tif 000003
【図３】
0005630220.tif 000004